【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
少なくとも１つの通信ネットワーク内で、双方の機器がマルチパス・プロトコルをサポートできる第１の機器および第２の機器の間の複数の通信経路を介してマルチパス接続を確立するための方法であって、
前記第１の機器から、前記第１の機器および前記第２の機器の間の少なくとも２つの通信経路を介して、主接続確立要求を送信するステップと、
前記第２の機器から、前記通信経路の１つを介して少なくとも１つの確認応答メッセージを受信するステップと、
前記第１の機器において、前記第２の機器からの前記少なくとも１つの確認応答メッセージの内の第１のメッセージを前記第１の機器が受信した前記通信経路を、主通信経路と決定し、前記主通信経路を介して前記マルチパス接続の主接続を確立できるようにするステップと、
の連続するステップを含む、前記方法。
【請求項２】
前記第１の機器から、前記決定した主通信経路を介して、第１のデータメッセージを有する確認応答を送信するステップと、
前記第２の機器から、前記第１の機器および前記第２の機器の間に前記マルチパス接続の前記主接続を確立するための確立確認応答メッセージを受信するステップと、
をさらに含む、請求項１に記載の方法。
【請求項３】
前記第１の機器から、前記決定した主通信経路とは異なる補助通信経路の各々を介して、それらの補助通信経路による接続を中止するよう求めるリセット要求を送信するステップをさらに含む、請求項２に記載の方法。
【請求項４】
前記第１の機器から、前記補助通信経路の少なくとも１つを介して補助接続確立要求を送信するステップと、
前記第２の機器から、前記補助通信経路を介して少なくとも１つの確認応答メッセージを受信するステップと、
前記第１の機器から、前記補助通信経路を介して確認応答メッセージを送信するステップであって、それにより前記マルチパス接続の補助接続が前記補助通信経路を介して前記第１の機器と前記第２の機器との間に確立されるようにするステップと、
をさらに含む、請求項３に記載の方法。
【請求項５】
前記第１の機器から、前記主通信経路を介して、前記第１の機器の可能な補助通信経路を表す情報メッセージを送信するステップと、
前記第２の機器から、前記補助通信経路の少なくとも１つを介して補助接続確立要求を受信するステップと、
前記第１の機器から、前記補助通信経路を介して少なくとも１つの確認応答メッセージを受信するステップと、
前記第２の機器から、前記補助通信経路を介して確認応答メッセージを送信するステップであって、それにより前記マルチパス接続の補助接続が、前記補助通信経路を介して前記第１の機器と前記第２の機器との間に確立されるようにするステップと、
をさらに含む、請求項３に記載の方法。
【請求項６】
前記主接続確立要求は、前記第１の機器から本質的に同時に送信される、請求項１から５のいずれかに記載の方法。
【請求項７】
前記マルチパス・プロトコルは、インターネットプロトコルの上層のマルチパス伝送制御プロトコルである、請求項１から６のいずれかに記載の方法。
【請求項８】
少なくとも１つの性能基準に従って、前記第１の機器と前記第２の機器との間の通信経路をリストアップするステップをさらに含む、請求項１から７のいずれかに記載の方法。
【請求項９】
少なくとも１つの通信ネットワーク内で、双方の機器がマルチパス・プロトコルをサポートできる第１のマルチホーム機器と第２のマルチホーム機器との間の複数の通信経路を介してマルチパス接続を確立するよう適合した第１の機器であって、
前記第１のマルチホーム機器および前記第２のマルチホーム機器の間の少なくとも２つの通信経路を介して、主接続確立要求を前記第２のマルチホーム機器に送信するよう構成された送信機と、
前記少なくとも２つの通信経路の１つを介して、少なくとも１つの確認応答メッセージを前記第２のマルチホーム機器から受信するよう構成された受信機と、
前記第２のマルチホーム機器からの前記少なくとも１つの確認応答メッセージの内の第１のメッセージを前記第１の機器が受信した通信経路を、主通信経路と決定し、前記主通信経路を介して前記マルチパス接続の主接続を確立できるよう構成された推定器と、
を備える、前記第１のマルチホーム機器。
【請求項１０】
前記送信機は、前記決定した主通信経路とは異なる補助通信経路の各々を介して、それらの通信経路による接続を中止するよう求めるリセット要求を前記第２のマルチホーム機器に送信するようさらに構成される、請求項９に記載の第１のマルチホーム機器。
【手続補正２】
【補正対象書類名】明細書
【補正対象項目名】００４６
【補正方法】変更
【補正の内容】
【００４６】
図１〜図５のフローチャートおよび／またはブロック図は、本発明の様々な実施形態によるシステム、方法、およびコンピュータプログラム製品の可能な実装の構成、動作、および機能性を例示するものである。この点に関し、フローチャートまたはブロック図の各ブロックは、特定の論理機能（複数可）を実装する１つまたは複数の実行可能命令を備える、モジュール、セグメント、またはコードの一部を表してよい。いくつかの代替的実装形態においては、ブロックで記された機能が図で記した順序から外れて行われてよいことにも、留意すべきである。例えば、実際、包含される機能性に応じて、連続して示した２つのブロックを実質的に並行して実行してもよく、ブロックを、時には反対の順序で実行する、または代替の順序で実行してもよい。ブロック図および／またはフローチャート図の各ブロック、ならびにブロック図および／またはフローチャート図のブロックの組み合わせを、特定の機能または動作を実施する専用のハードウェアベースのシステム（例えば、１つまたは複数のプロセッサを備える）、または専用のハードウェアおよびコンピュータ命令を組み合わせたものによって実装することができることにも留意されたい。
ここでいくつかの付記を記載する。
（付記１）
少なくとも１つの通信ネットワーク（Ｎ）内で、双方の機器がマルチパス・プロトコルをサポートできる第１の機器および第２の機器（Ｃ，Ｓ）の間の複数の通信経路を介してマルチパス接続を確立するための方法であって、
−前記第１の機器（Ｃ）から、前記第１の機器および前記第２の機器（Ｃ，Ｓ）の間の少なくとも２つの通信経路を介して、主接続確立要求（１）を送信するステップ（Ｅ１）と、
−前記第２の機器（Ｓ）から、前記通信経路の１つを介して少なくとも１つの確認応答メッセージ（２）を受信するステップ（Ｅ２）と、
−前記第１の機器（Ｃ）において、前記第２の機器（Ｓ）からの前記少なくとも１つの確認応答メッセージ（２）の内の第１のメッセージを前記第１の機器（Ｃ）が受信した前記通信経路を、主通信経路と決定し、前記主通信経路を介して前記マルチパス接続の主接続を確立できるようにするステップ（Ｅ３）と、
の連続するステップを含む、前記方法。
（付記２）
−前記第１の機器（Ｃ）から、前記決定した主通信経路を介して、第１のデータメッセージを有する確認応答（３）を送信するステップ（Ｅ４）と、
−前記第２の機器（Ｓ）から、前記第１の機器および前記第２の機器（Ｃ，Ｓ）の間に前記マルチパス接続の前記主接続を確立するための確立確認応答メッセージ（４）を受信するステップ（Ｅ６）と、
をさらに含む、付記１に記載の方法。
（付記３）
前記第１の機器（Ｃ）から、前記決定した主通信経路とは異なる補助通信経路の各々を介して、それらの補助通信経路による接続を中止するよう求めるリセット要求（ＲＳＴ）を送信するステップ（Ｅ５）をさらに含む、付記２に記載の方法。
（付記４）
−前記第１の機器（Ｃ）から、前記補助通信経路の少なくとも１つを介して補助接続確立要求（５Ａ）を送信するステップと、
−前記第２の機器（Ｓ）から、前記補助通信経路を介して少なくとも１つの確認応答メッセージ（６Ａ）を受信するステップと、
−前記第１の機器（Ｃ）から、前記補助通信経路を介して確認応答メッセージ（７Ａ）を送信するステップであって、それにより前記マルチパス接続の補助接続が前記補助通信経路を介して前記第１の機器（Ｃ）と前記第２の機器（Ｓ）との間に確立されるようにするステップと、
をさらに含む、付記３に記載の方法。
（付記５）
−前記第１の機器（Ｃ）から、前記主通信経路を介して、前記第１の機器（Ｃ）の可能な補助通信経路を表す情報メッセージ（８）を送信するステップと、
−前記第２の機器（Ｓ）から、前記補助通信経路の少なくとも１つを介して補助接続確立要求（５Ｂ）を受信するステップと、
−前記第１の機器（Ｃ）から、前記補助通信経路を介して少なくとも１つの確認応答メッセージ（６Ｂ）を受信するステップと、
−前記第２の機器（Ｓ）から、前記補助通信経路を介して確認応答メッセージ（７Ｂ）を送信するステップであって、それにより前記マルチパス接続の補助接続が、前記補助通信経路を介して前記第１の機器（Ｃ）と前記第２の機器（Ｓ）との間に確立されるようにするステップと、
をさらに含む、付記３に記載の方法。
（付記６）
前記主接続確立要求（１）は、前記第１の機器（Ｃ）から本質的に同時に送信される、付記１から５のいずれかに記載の方法。
（付記７）
前記マルチパス・プロトコルは、インターネットプロトコルの上層のマルチパス伝送制御プロトコルである、付記１から６のいずれかに記載の方法
（付記８）
少なくとも１つの性能基準に従って、前記第１の機器（Ｃ）と前記第２の機器（Ｓ）との間の通信経路をリストアップするステップ（Ｅ７）をさらに含む、付記１から７のいずれかに記載の方法。
（付記９）
少なくとも１つの通信ネットワーク（Ｎ）内で、双方の機器（Ｃ、Ｓ）がマルチパス・プロトコルをサポートできる第１のマルチホーム機器（Ｃ）と第２のマルチホーム機器（Ｓ）との間の複数の通信経路を介してマルチパス接続を確立するよう適合した第１の機器であって、
−前記機器（Ｃ、Ｓ）間の少なくとも２つの通信経路を介して、主接続確立要求（１）を前記第２の機器（Ｓ）に送信するよう構成された送信機（Ｍ１）と、
−前記既知の通信経路の１つを介して、少なくとも１つの確認応答メッセージ（２）を前記第２の機器（Ｓ）から受信するよう構成された受信機（Ｍ２）と、
−前記第２の機器（Ｓ）からの前記少なくとも１つの確認応答メッセージ（２）の内の第１のメッセージを前記第１の機器（Ｃ）が受信した通信経路を、主通信経路と決定し、前記主通信経路を介して前記マルチパス接続の主接続を確立できるよう構成された推定器（Ｍ３）と、
を備える、前記第１の機器。
（付記１０）
前記送信機（Ｍ１）は、前記決定した主通信経路とは異なる補助通信経路の各々を介して、それらの通信経路による接続を中止するよう求めるリセット要求を前記第２の機器（Ｓ）に送信するようさらに構成される、付記９に記載のマルチホーム機器。